(57)【要約】【課題】排水流入口が複数設けられた排水トラップにおいて何れの排水流入口にも逆流を起こさない排水トラップが必要である。逆流を起こさない新しい排水トラップを提供する。【解決手段】排水を貯留する貯水槽を排水トラップ内の各排水流入口側に独立させ、その貯水槽上方には排水の流出空間を確保して外周壁を備えた蓋を取付け又その蓋の外周壁の下端部はその貯水槽の周壁の上端部より下方に位置し更に排水トラップ側面の排水流出口の下面より上方に位置して設ける。【選択図】    図１
2005060942.tif 000002
【特許請求の範囲】
【請求項１】
排水流入口が複数設けられた排水トラップにおいて排水を貯留する貯水槽を排水トラップ内の各排水流入口側に独立させ、その貯水槽上方には排水の流出空間を確保して外周壁を備えた蓋を取付け又その蓋の外周壁の下端部はその貯水槽の周壁の上端部より下方に位置し更に排水トラップ側面の排水流出口の下面より上方に位置して設けられたことを特徴とする排水トラップ。
【請求項２】
排水トラップ内に設けられた各貯水槽と外周壁を備えた蓋は排水トラップ内の各排水流入口に着脱が容易に装着され排水トラップ上部の開口部から取り出しができることを特徴とした排水トラップ。
【発明の詳細な説明】
【０００１】
【発明の属する技術分野】
本発明はユニットバス等の防水パンに装着され排水に用いられる排水トラップに関する。
【０００２】
【従来の技術】
従来ユニットバスの洗い場、浴槽等からの排水は排水トラップを防水パンに装着し、その排水トラップを介して下水道側に排出している。例えば図４に示した排水流入口が複数設けられた排水トラップ５０を用いるのが一般的である。
【０００３】
図４に示した排水トラップ５０は洗い場Ａ１からの排水を排水トラップ上部の開口部５１から、又浴槽や洗面器等の排水は排水を流入させる排水器具５２の排水器具開口部５３からトラップ側面に設けられた排水流入口５４に排水流入管５９を介して排水トラップ内に流入させ流入した排水は害虫等の侵入防止と空気の流れを遮断するため排水トラップ内に設けられている排水を貯留する貯水槽５５の周壁５６と空気遮断壁５７との空間を通過させ、排水トラップ側面の排水流出口５８から排水流出管６０を介して下水道側に排出される。
【０００４】
しかし上記、排水トラップでは排水が排水トラップ内の貯水槽５５に流入したとき各排水流入口５４はこの貯水槽５５を共用し接続されていることから排水流入時の圧力や排水トラップ内の水位の上昇が直接、排水がされていない排水流入口に伝わり逆流を起こす。
【０００５】
このため図５に示すように可動弁等を用いて逆流を防止する逆流防止弁１０２を排水器具１０１と排水トラップ１００の間や排水トラップ１００内に設けている。
【０００６】
【発明が解決しようとする課題】
解決しようとする問題点は可動弁等を用いた逆流防止弁では排水中のゴミ等が付着し可動弁等の開閉不良で機能が低下し逆流を確実に防止できなくなり設置場所によっては可動弁の清掃が難しい。このため排水中のごみ等の付着で逆流防止機能に影響がなく又清掃が容易な排水トラップを提供するものである。
【０００７】
【問題を解決するための手段】
本発明のうち請求項１では排水流入口が複数設けられた排水トラップにおいて排水を貯留する貯水槽を排水トラップ内の各排水流入口側に独立させ、その貯水槽上方には排水の流出空間を確保して外周壁を備えた蓋を取付け又その蓋の外周壁の下端部はその貯水槽の周壁の上端部より下方に位置し更に排水トラップ側面の排水流出口の下面より上方に位置して設けたことで何れかの排水流入口から多量の排水が排水トラップ内に流入して排水トラップ内の水位が上昇し貯水槽の周壁の上端部を超えても排水がされていない排水流入口の貯水槽では貯留されている排水の上面と蓋の外周壁下端部の間に空気溜りができて排水はその貯水槽に進入できない。又水位上昇の圧力も直接伝わることがなく逆流が起きない。
【０００８】
請求項２では、排水トラップ内に設けられた各貯水槽と外周壁を備えた蓋は排水トラップ内の各排水流入口に着脱が容易に装着され排水トラップ上部の開口部から取り出して清掃ができ排水トラップ内と排水管の清掃も清掃機材を排水トラップ内の各排水流入口から挿入させて行える。
【０００９】
【発明の効果】
本発明では複数の排水流入口がある排水トラップにおいて何れかの排水流入口から多量の排水流入があっても他の排水流入口に逆流を起さない。
【００１０】
本発明では排水トラップに稼動弁等の使用がないため排水中のゴミ等の付着による開閉不良の逆流防止機能低下を起こすことがない。
【００１１】
本発明では排水トラップ内の部材の清掃及び排水トラップ内と排水管の清掃が排水トラップ内の各排水流入口から容易に行える。
【００１２】
【発明の実施の形態】
以下、本発明の実施例を図面に基づいて説明する。
【００１３】
実施例１を図１、図２に示し排水トラップ１とその周囲の構成を以下に説明する。排水トラップ本体１ａは防水パンＢの取付け孔に装着され防水パッキン１３を挟み、円形の開口部５ａが開けられた締付け枠５により防水パンＢの下面に取付けられる。排水トラップ底部１ｂには、洗い場Ａからの排水を貯留する洗い場貯水槽６を締付け枠５の開口部５ａから装入して設置されている。締付け枠５の開口部５ａには洗い場Ａからの排水を流入させる流入口４ａが設けられた流入管４を装入して取付け、その流入管４の下方は害虫等の侵入及び空気の流れを遮断するための遮断管４ｃとして洗い場貯水槽６内に延長されている。遮断管４ｃの下端部は洗い場貯水槽６の周壁６ａの上端部より下方に又洗い場貯水槽６の底面６ｂより上方で排水の流出空間を確保した位置にされている。流入管４の外側壁４ｂには外周壁７ａを備えた蓋７が取付けられその蓋７は洗い場貯水槽６の上方で排水の流出空間を確保し又外周壁７ａの下端部は洗い場貯水槽６の周壁６の上端部より下方に位置し更に排水トラップ本体１ａの側面に設けられた排水を排水トラップ１から流出させる排水流出口３ａの下面より上方に位置して取付けられている。又排水トラップ本体１ａの側面には排水器具１０からの排水を排水トラップ１に送る排水流入管１１を接続する流入管接続口２と排水トラップ１内の排水を下水側に送る排水流出管１２を接続する流出管接続口３が設けられている。排水器具１０からの排水を貯留する排水器具貯水槽８は締付け枠５の開口部５ａより排水トラップ１内に装入される。排水器具貯水槽８の形状は概ね９０度の曲管で排水入口８ａはその貯水槽８の側面に位置し排水出口８ｃは排水入口８ａの上方に位置している。排水入口８ａの外周管８ｂはゴム等の弾力のある材質を用いて排水トラップ１の排水流入口２ａに嵌入させ排水トラップの流入管接続口２の管内面２ｂと排水入口８ａの外周管８ｂは密着し又着脱も容易に排水トラップ１内に設置されている。排水器具貯水槽８には外周壁９ａを備えた蓋９が取付けられその蓋９は排水器具貯水槽８の上方で排水の流出空間を確保し又その外周壁９ａの下端部は排水出口８ｃの外周管８ｄの上端部より下方に位置し更に排水流出口３ａの下面より上方に位置して取付けられている。
【００１４】
次に上記実施例１の排水トラップの構成による作用を以下に説明する。洗い場Ａからの排水が排水トラップ１内に流入したときの作用は排水は締付け枠５の開口部５ａから流入管４の流入口４ａを通り洗い場貯水槽６に入り、洗い場貯水槽６の周壁６ａと遮断管４ｃの空間を通り周壁６ａの上端部より溢れ出て周壁６ａと蓋７の外周壁７ａの空間を通り排水トラップ１内に入る。排水トラップ１内の排水は排水流出口３ａの下面を超えると排水流出口３ａから排水流出管１２を通って下水道側に排出される。排水トラップ１内の水位が上昇し排水が排水器具貯水槽８に取付けられた蓋９の外周壁９ａ下端部に到達するまでは排水の圧力は排水器具貯水槽８には伝わることがなく逆流を起こさない。
【００１５】
多量の排水が洗い場Ａから排水トラップ１内に流入したとき排水トラップ１内の水位は上昇し排水器具貯水槽８の蓋９の外周壁９ａ下端部に達する。しかし排水器具貯水槽８には排水入口８ａ上面から排水出口８ｃの外周管８ｄ上端部までの距離の、排水溜り深さの圧力があり排水は排水出口８ｃの外周管８ｄと蓋９の外周壁９ａの空間に入ることができず、この空間に空気溜りができる。排水トラップ内１の水位の上昇が続き蓋９の外周壁９ａ下端部から上方に排水器具貯水槽８の排水溜り深さと同じになると排水器具貯水槽８と排水トラップ内の排水溜り深さの圧力は同じになり更に水位の上昇が続くと排水トラップ１内の排水溜り深さの圧力は排水器具貯水槽８の排水溜り深さの圧力を超えて排水は排水器具貯水槽８に逆流を起こすことになるが逆流は起きない。
【００１６】
これは、流出管接続口３に接続されている排水流出管１２の管内開口面積に比して洗い場Ａからの排水を流入する流入管４から排水トラップ１内までの排水流路の空間が同じかそれ以下にされていることで排水トラップ１内に流入する排水量は、排水流出管１２の排水流出可能量と同じか、小さく又流入管４から排水トラップ１内までの排水流路の空間には流れ抵抗があるため流入管４からの排水の圧力に比して排水トラップ１内の排水の圧力は小さくなり排水トラップ１内から排水流出管１２に排水が流出されていることで排水トラップ１内の排水の圧力は更に小さくなり排水器具貯水槽８に逆流を起こす排水の圧力には至らない。このため洗い場Ａの防水パンＢの上に通常にはない高水位の排水溜まりが発生しなければ排水器具貯水槽８を通して排水器具１０側に逆流が起きることはない。
【００１７】
次に排水器具１０からの排水が排水トラップ１内に流入した時の作用を説明する。浴槽や洗面器等の排水が排水器具１０の開口部１０ａから排水流入管１１を介して排水流入口２ａから排水器具貯水槽８に入りその貯水槽８の排水出口８ｃの外周管８ｄの上端部から溢れ出てその外周管８ｄと蓋９の外周壁９ａの空間を通り排水トラップ内１に入る。排水トラップ１内の排水は排水流出口３ａの下面を超える高さになり排水流出口３ａから排水流出管１２を通って下水道側に排出される。このとき上記段落００１４に記載と同様の作用により洗い場貯水槽６から洗い場Ａ側には逆流を起こさない。
【００１８】
多量の排水が排水器具１０から流入したときも流出管接続口３に接続された排水流出管１２の管内開口面積に比して排水器具１０から流入管接続口２に接続されている排水流入管１１と排水器具貯水槽８から排水トラップ１内までの排水流路空間の開口面積は同じかそれ以下にされていて上記段落００１５と００１６に記載と同様の作用で逆流は起きない。
【００１９】
実施例２を図３に示し排水トラップとその周囲の構成を以下に説明する。
洗い場Ａからの排水を流入する流入管４と洗い場貯水槽６と害虫等の侵入及び空気の流れを遮断する遮断管４ｃが一体になり洗い場Ａの上方に取外し可能で締付け枠５の開口部５ａに取付けられている。その他は上記段落００１３で記載の実施例１と同様に構成されている。
【００２０】
次に上記実施例２での排水トラップ１の構成による作用を以下に説明する。洗い場Ａからの排水は締付け枠５の開口部５ａから流入管４の流入口４ａを通り洗い場貯水槽６に入り、遮断管４ｃと流入管４の外側４ｂの空間を通り洗い場貯水槽６の周壁６ａの上端部より溢れ出てこの周壁６ａと蓋７の外周壁７ａとの空間を通り排水トラップ１内に入る。排水トラップ１内の排水は排水流出口３ａの下面を超える高さになり排水流出口３ａから排水流出管１２を通って下水道側に排出される。このときの作用と排水器具１０から排水が排水トラップ１に流入のときの作用は前記段落００１４から００１８に記載した実施例１と同様である。
【００２１】
以上本発明の実施例を記述したが本発明はその要旨を逸脱しない範囲で構成を変更することが可能である。
【００２２】
【図面の簡単な説明】
【図１】本発明の実施例１の縦断面図である。
【図２】図１のＸ−Ｙ横断面図である。
【図３】本発明実施例２の縦断面図である。
【図４】従来の排水トラップと周囲の縦断面図である。
【図５】従来の排水トラップと周囲の概略縦断面図である。
【００２３】
【符号の説明】
Ａ…洗い場、Ｂ…防水パン、１…排水トラップ、１ａ…排水トラップ本体、１ｂ…排水トラップ底部、２…流入管接続口、２ａ…排水流入口、２ｂ…管内面、３…流出管接続口、３ａ…排水流出口、４…流入管、４ａ…流入口、４ｂ…外側、４ｃ…遮断管、５…締付け枠、５ａ…開口部、６…洗い場貯水槽、６ａ…周壁、６ｂ…底部、７…蓋、７ａ…外周壁、８…排水器具貯水槽、８ａ…排水入口、８ｂ…外周壁、８ｃ…排水出口、８ｄ…外周管、９…蓋、９ａ…外周壁、１０…排水器具、１０ａ…開口部、１１…流入排水管、１２…流出排水管、１３…防水パッキン、Ａ１…洗い場、Ｂ１…防水パン、５０…排水トラップ、５１…開口部、５２…排水器具、５３…開口部、５４…排水流入口、５５…貯水槽、５６…周壁、５７…空気遮断管、５８…排水流出口、５９…排水流入管、６０…排水流出管、１００…排水トラップ、１０１…排水器具、１０２…逆流防止弁
【図１】
2005060942.tif 000003
【図２】
2005060942.tif 000004
【図３】
2005060942.tif 000005
【図４】
2005060942.tif 000006
【図５】
2005060942.tif 000007